(57)【要約】【課題】横置型冷却管群の適用において伝熱性能を確保すること。【解決手段】水平方向に蒸気が導入される容器と、容器の内部に配置されており複数の冷却管２Ａを平行に配置して全体が横長に形成されてなる冷却管群２と、冷却管群２の内部に冷却管２Ａを配置せず形成された横長の中空部３と、中空部３の内部で中空部３の横長形状に沿って配置された受皿４と、を備える。【選択図】図３
2015075242.tif 000002
【特許請求の範囲】
【請求項１】
水平方向に蒸気が導入される容器と、
前記容器の内部に配置されており複数の冷却管を平行に配置して全体が横長に形成されてなる冷却管群と、
前記冷却管群の内部に前記冷却管を配置せず形成された横長の中空部と、
前記中空部の内部で前記中空部の横長形状に沿って配置された受皿と、
を備えることを特徴とする復水器。
【請求項２】
前記受皿を貫通して前記中空部内で上方に突出して設けられた導管を備え、前記導管は、突出端が下方に折り返されて下方に向けて開口して形成されることを特徴とする請求項１に記載の復水器。
【請求項３】
前記受皿の底に凹部を設けることを特徴とする請求項１に記載の復水器。
【請求項４】
前記受皿を貫通して下方に延在し前記冷却管群の外部に突出して設けられた配水管を備え、前記配水管は、突出端が上方に折り返されて上方に向けて開口して形成されることを特徴とする請求項１〜３にいずれか一つに記載の復水器。
【請求項５】
前記中空部の内部から前記冷却管群の外部に至り設けられた抽出管と、
前記抽出管に設けられた真空ポンプと、
を備えることを特徴とする請求項１〜４のいずれか一つに記載の復水器。
【発明の詳細な説明】
【技術分野】
【０００１】
本発明は、蒸気タービンからの蒸気を凝縮する復水器に関するものである。
【背景技術】
【０００２】
蒸気タービンシステムでは、ボイラで燃料を燃焼させ、発生した燃焼ガスの熱エネルギをボイラ水に伝達することにより蒸気を発生させ、この蒸気を過熱器で加熱して過熱蒸気とし、この過熱蒸気によりタービンを回転させることで、発電機を駆動して発電する。タービンを回転させる仕事をした蒸気は、復水器にて、例えば、海水と熱交換して冷却することで凝縮し、冷却水（復水）に戻り、復水ポンプによってボイラに戻される。
【０００３】
復水器は、タービンの排出口と連通する容器を有し、この容器内に冷却水が流通する多数の冷却管からなる冷却管群が例えば水平方向に沿って配設されて構成されている。そして、タービンから排出された蒸気が冷却管群に導入され、この蒸気と各冷却管内の冷却水との間で熱交換が行われることで、蒸気が凝縮されて復水となる。
【０００４】
従来、例えば、特許文献１に記載の復水器（復水器のドレン除去装置）は、冷却管群中に冷却管と平行に設けられている複数の上に凸のドレンガイドと、これらドレンガイドの下縁の下方にドレンガイドと略平行に設けられている複数の樋と、ドレンガイドまたは樋の少なくとも一方に、蒸気バイパス防止部材と、を備えている。この特許文献１に記載の復水器は、ドレンガイドおよび樋によりそれより上方の冷却管で凝縮されたドレンを捕集することで、下方の冷却管に対するドレンの落下を防止する。しかも、この特許文献１に記載の復水器は、蒸気バイパス防止部材によりドレンガイドと樋との間における蒸気バイパスを防止することで、復水器全体の圧力分布を保持し、性能低下を防止する。
【０００５】
また、従来、例えば、特許文献２に記載の復水器は、冷却管群を上部熱交換部と下部熱交換部とに分割し、これら上部熱交換部と下部熱交換部との間に空気冷却部を設け、空気冷却部の両側であって冷却管群の外側に空気抽出部を設け、冷却管群中で上下方向に延びて上部熱交換部、空気冷却部および下部熱交換部に通じる内部蒸気通路を設けている。この特許文献２に記載の復水器は、上部熱交換部および下部熱交換部を通過した未凝縮蒸気や非凝縮性気体が内部蒸気通路に流入され、内部蒸気通路から空気冷却部に導かれて冷却され空気抽出部に流入し、容器から排気される。また、内部蒸気通路は、その途中に水受け部が設けられており、通路を落下する凝縮されたドレンを水受け部により受けることで、下方に配置された冷却管にドレンが付着することを防ぐ。
【先行技術文献】
【特許文献】
【０００６】
【特許文献１】実開昭６１−１５４４５８号公報
【特許文献２】特開２０１０−７１４８５号公報
【発明の概要】
【発明が解決しようとする課題】
【０００７】
特許文献１および特許文献２に記載の復水器は、タービンから排出された蒸気が容器の上方から導入され、冷却管群が縦長に形成されることで、主に冷却管群の上方や側方から蒸気を流入させる、いわゆる縦置冷却管群を有する復水器である。このような復水器に対し、タービンから排出された蒸気が容器の側部から水平方向に導入され、冷却管群が横長に形成されることで、主に冷却管群の上方および下方から蒸気を流入させる、いわゆる横置型冷却管群を有する復水器がある。
【０００８】
そして、このような横置型冷却管群であっても、復水器の性能である伝熱性能を確保するため、冷却管にドレンが付着することを防いだり、未凝縮蒸気や非凝縮性気体を抽出したりするための工夫が必要である。具体的に、横置型冷却管群において、特許文献２に記載の復水器のように内部蒸気通路を設けた場合、主に冷却管群の上方および下方から蒸気が流入されるため、内部蒸気通路に上方から流入した凝縮されたドレンが、冷却管群の下方から流入する蒸気に対して対向流（カウンターフロー）となり蒸気の流入を阻害するとともに、内部蒸気通路への未凝縮蒸気や非凝縮性気体の抽出をも阻害することになる。なお、特許文献１に記載の復水器は、ドレンガイドと樋との間における蒸気バイパスを防止するものであり、未凝縮蒸気や非凝縮性気体を抽出することを考慮したものではない。
【０００９】
本発明は上述した課題を解決するものであり、横置型冷却管群の適用において伝熱性能を確保することのできる復水器を提供することを目的とする。
【課題を解決するための手段】
【００１０】
上述の目的を達成するために、第１の発明の復水器は、水平方向に蒸気が導入される容器と、前記容器の内部に配置されており複数の冷却管を平行に配置して全体が横長に形成されてなる冷却管群と、前記冷却管群の内部に前記冷却管を配置せず形成された横長の中空部と、前記中空部の内部で前記中空部の横長形状に沿って配置された受皿と、を備えることを特徴とする。
【００１１】
この復水器によれば、冷却管群の上部（中空部の上方）で凝縮されたドレンが、中空部の内部に落下して受皿に至り受皿に貯められることから、冷却管群の下部（受皿（中空部）の下方）の冷却管に、冷却管群の上部から落下するドレンが付着することを防ぐ。しかも、冷却管群の上部を通過した不凝縮性気体は、中空部の内部に至り中空部に捕集され、受皿により堰き止められ冷却管群の下部に至ることがないため、冷却管群の下部において流入する蒸気に対して不凝縮性気体が対向流（カウンターフロー）となることを防ぐ。この結果、横置型冷却管群の適用において伝熱性能を確保することができる。
【００１２】
また、第２の発明の復水器では、第１の発明において、前記受皿を貫通して前記中空部内で上方に突出して設けられた導管を備え、前記導管は、突出端が下方に折り返されて下方に向けて開口して形成されることを特徴とする。
【００１３】
この復水器によれば、冷却管群の下部を通過した不凝縮性気体を、導管を介して受皿を通過させて中空部の内部に捕集する。この際、冷却管群の上部から中空部の内部に落下するドレンが、導管の開口から冷却管群の下部に流出したり、導管の開口に付着して開口を塞いだりする事態を防止することができる。
【００１４】
また、第３の発明の復水器では、第１の発明において、前記受皿の底に凹部を設けることを特徴とする。
【００１５】
この復水器によれば、冷却管群の下部を通過した不凝縮性気体を、凹部に捕集する。すなわち、受皿により中空部を上下に分離することで、冷却管群の上部から中空部の内部に落下するドレンが、冷却管群の下部に至ること、および冷却管群の下部において流入する蒸気に対して不凝縮性気体が対向流（カウンターフロー）となることを防ぎつつ、中空部の内部に不凝縮性気体を捕集することができる。
【００１６】
また、第４の発明の復水器では、第１〜第３のいずれか一つの発明において、前記受皿を貫通して下方に延在し前記冷却管群の外部に突出して設けられた配水管を備え、前記配水管は、突出端が上方に折り返されて上方に向けて開口して形成されることを特徴とする。
【００１７】
この復水器によれば、配水管により、受皿に貯まったドレンを容器の底部に送ることができる。また、配水管の上方に折り返された部分にドレンが貯まることで、冷却管群の下方から流入する蒸気が、配水管の開口より中空部の内部に流入する事態を防止することができる。
【００１８】
また、第５の発明の復水器では、第１〜第４のいずれか一つの発明において、前記中空部の内部から前記冷却管群の外部に至り設けられた抽出管と、前記抽出管に設けられた真空ポンプと、を備えることを特徴とする。
【００１９】
この復水器によれば、中空部に捕集された不凝縮性気体を冷却管群の外部に抽出することができる。
【発明の効果】
【００２０】
本発明によれば、横置型冷却管群の適用において伝熱性能を確保することができる。
【図面の簡単な説明】
【００２１】
【図１】図１は、本発明の実施形態に係る復水器の概略側断面図である。
【図２】図２は、本発明の実施形態に係る復水器の概略縦断面図である。
【図３】図３は、本発明の実施形態１に係る復水器の冷却管群の側断面図である。
【図４】図４は、本発明の実施形態１に係る復水器の冷却管群の縦断面図である。
【図５】図５は、本発明の実施形態２に係る復水器の冷却管群の側断面図である。
【図６】図６は、本発明の実施形態２に係る復水器の冷却管群の縦断面図である。
【発明を実施するための形態】
【００２２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２３】
図１は、本実施形態に係る復水器の概略側断面図であり、図２は、本実施形態に係る復水器の概略縦断面図である。なお、図２は、図１において矢印Ｇ方向に見た断面図である。
【００２４】
本実施形態の復水器は、図示しない蒸気タービンに接続された箱型の容器１の内部に、冷却管群２が設けられている。
【００２５】
容器１は、矩形状の箱体として形成されている。この容器１は、蒸気タービンの排気室に接続される筒状の胴部１Ａが設けられている。胴部１Ａは、蒸気タービン側の接続口１Ａａから容器１側の流入口１Ａｂに向かって水平方向に延在して設けられており、蒸気タービンからの蒸気が、図１に矢印Ｇで示すように、容器１の内部に水平方向に沿って流入される。さらに、胴部１Ａは、接続口１Ａａから流入口１Ａｂに向かって漸次開口径が大きくなるように形成されている。また、容器１は、その底部に凝縮されたドレンが貯められるようになっている。容器１の底部に貯められたドレンは、当該底部に接続された図示しない配管を経て容器１の外部に排出される。
【００２６】
冷却管群２は、図２に示すように、複数の冷却管２Ａが水平方向に沿って平行に配置されたものである。そして、冷却管群２は、図１に示すように、蒸気の流入方向、すなわち図１に矢印Ｇで示す水平方向に横長に形成された横置型冷却管群として構成されている。なお、図１では、冷却管２Ａを省略した冷却管群２の外形を示している。図２に示すように、各冷却管２Ａは、その両端部が容器１の外部に配置された水室２Ｂに接続されている。一方の水室２Ｂは、冷却水供給管（図示略）が接続されており当該冷却水供給管から供給される冷却水を貯めてから各冷却管２Ａに流入させるものである。また、他方の水室２Ｂは、冷却水排出管（図示略）が接続されており各冷却管２Ａを通過した冷却水を貯めてから冷却水排出管に排出させるものである。また、各冷却管２Ａは、容器１の内部に配置された中間部が複数の支持板２Ｃにより支持されている。
【００２７】
この復水器は、容器１の内部に胴部１Ａを介して蒸気が水平方向に沿って流入されると、この蒸気が横長に形成された冷却管群２の主に上方および下方から各冷却管２Ａの間に流入する。すると、蒸気は、各冷却管２Ａに供給された冷却水と熱交換して凝縮しドレンとなって容器１の底部に貯まる。
【００２８】
［実施形態１］
図３は、本実施形態に係る復水器の冷却管群の側断面図であり、図４は、本実施形態に係る復水器の冷却管群の縦断面図である。なお、図３は、図１に示す冷却管群の詳細を示し、図４は、図２に示す冷却管群の詳細を示す。また、図３および図４において、ハッチング部分は、複数の冷却管２Ａを簡略化して示している。
【００２９】
上述したように、冷却管群２は、容器１の内部に配置されており複数の冷却管２Ａを平行に配置して全体が横長に形成されている。そして、図３および図４に示すように、冷却管群２は、その内部に冷却管２Ａを配置せず形成された横長の中空部３が設けられている。中空部３は、複数の冷却管２Ａの隙間よりも大きい空間を形成しており、複数の冷却管２Ａの隙間と連通して冷却管群２の外側に通じている。
【００３０】
また、冷却管群２は、中空部３の内部に、中空部３の横長形状に沿って配置された受皿４が設けられている。受皿４は、板状に形成されて、その外周縁に立設された立片を有している。また、受皿４は、当該受皿４を貫通して下方に延在し冷却管群２の外部に突出して設けられた配水管４Ａが設けられている。配水管４Ａは、その突出端４Ａａが上方（好ましくは鉛直上）に向けて開口するようにＪ形状に上方に折り返して形成されている。また、受皿４は、当該受皿４を貫通して中空部３内で上方に突出して設けられた導管４Ｂが設けられている。導管４Ｂは、その突出端４Ｂａが中空部３内で下方（好ましくは鉛直下）に向けて開口するように逆Ｊ形状に下方に折り返して形成されている。また、導管４Ｂは、容器１の内部に流入する蒸気の流入方向（図３に矢印Ｇで示す方向）の下流側で、突出端４Ｂａが下向きに形成されている。言い換えると、導管４Ｂは、容器１の内部に蒸気を流入させる胴部１Ａの反対側で突出端４Ｂａが下向きに形成されている。
【００３１】
また、冷却管群２は、中空部３の内部から冷却管群２の外部に至り抽出管５が設けられている。抽出管５は、容器１の外部に貫通して設けられている。また抽出管５は、真空ポンプ６が設けられている。
【００３２】
このように構成された本実施形態の復水器は、横長に形成された冷却管群２において、容器１の内部に流入された蒸気が、冷却管群２の主に上方および下方から各冷却管２Ａの間に流入する。すると、蒸気は、各冷却管２Ａに供給された冷却水と熱交換して凝縮しドレンとなって各冷却管２Ａの間を通って落下する。
【００３３】
ここで、冷却管群２の上部（中空部３の上方）で凝縮されたドレンは、中空部３の内部に落下して受皿４に至り受皿４に貯められる。そして、受皿４に貯められたドレンは、配水管４Ａを通って容器１の底部に落下する。このため、冷却管群２の下部（受皿４（中空部３）の下方）では、その冷却管２Ａに、冷却管群２の上部から落下するドレンが付着することが防止される。なお、配水管４Ａは、その突出端４Ａａが上方に折り返されて上方に向けて開口するように形成されている。このため、配水管４Ａの上方に折り返された部分にドレンが貯まることで、冷却管群２の下方から流入する蒸気が、配水管４Ａの開口より中空部３の内部に流入する事態を防止する。なお、配水管４Ａを設けない場合、受皿４に貯まったドレンは、支持板２Ｃを伝わって容器１の底部に落下する。この場合、受皿４は、各支持板２Ｃの位置で分割され、支持板２Ｃに対向する外周縁の立片が一部切り欠かれて形成され、支持板２Ｃとの間にドレンを通過させる隙間を設けておくことが好ましい。
【００３４】
また、冷却管群２の上部では、不凝縮性気体が通過する。不凝縮性気体は、冷却管２Ａとの熱交換により凝縮されなかった蒸気（未凝縮蒸気）や、蒸気とともに容器１の内部に流入された空気（非凝縮性気体）を言う。このように冷却管群２の上部を通過した不凝縮性気体は、中空部３の内部に至り中空部３に捕集される。中空部３に捕集された不凝縮性気体は、受皿４により堰き止められ冷却管群２の下部に至ることがない。
【００３５】
一方、冷却管群２の下部で凝縮されたドレンは、冷却管群２の下部から容器１の底部に落下する。ここで、上述したように、中空部３に捕集された不凝縮性気体は、受皿４により堰き止められ冷却管群２の下部に至ることがない。このため、冷却管群２の下部において流入する蒸気に対して不凝縮性気体が対向流（カウンターフロー）となることが防止される。従って、冷却管群２の下部において、蒸気を凝縮する性能である伝熱性能が確保される。
【００３６】
また、冷却管群２の下部では、不凝縮性気体が通過する。冷却管群２の下部を通過した不凝縮性気体は、中空部３の内部に至り中空部３に捕集される。中空部３の内部には、受皿４が設けられているが、不凝縮性気体は、導管４Ｂを介して受皿４を通過して中空部３の内部に至る。なお、導管４Ｂは、その突出端４Ｂａが下方に折り返されて下方に向けて開口するように形成されている。このため、冷却管群２の上部から中空部３の内部に落下するドレンが、導管４Ｂの開口から冷却管群２の下部に流出したり、導管４Ｂの開口に付着して開口を塞いだりする事態を防止する。また、導管４Ｂは、容器１の内部に流入する蒸気の流入方向の下流側で、突出端４Ｂａが下向きに形成されているため、前記流入方向（図３に矢印Ｇで示す方向）で中空部３の内部に流入する不凝縮性気体が導管４Ｂの突出端４Ｂａの開口から冷却管群２の下部に流出する事態を防ぐ。また、導管４Ｂを設けない場合、冷却管群２の下部を通過した不凝縮性気体は、受皿４の外周から中空部３の内部に至る。この場合、受皿４は、各支持板２Ｃの位置で分割され、その外周を不凝縮性気体が通過するように支持板２Ｃとの間に隙間を設けておく。
【００３７】
そして、中空部３に捕集された不凝縮性気体は、真空ポンプ６を作動させることで抽出管５を介して容器１の外部に排出される。なお、抽出管５を中空部３に直接連通させず、間に空気冷却器を配置することで、不凝縮性気体において冷却管２Ａとの熱交換により凝縮されなかった未凝縮蒸気を凝縮させてドレンとし、非凝縮性気体のみを排出することができる。
【００３８】
このように、本実施形態の復水器は、水平方向に蒸気が導入される容器１と、容器１の内部に配置されており複数の冷却管２Ａを平行に配置して全体が横長に形成されてなる冷却管群２と、冷却管群２の内部に冷却管２Ａを配置せず形成された横長の中空部３と、中空部３の内部で中空部３の横長形状に沿って配置された受皿４と、を備える。
【００３９】
この復水器によれば、冷却管群２の上部（中空部３の上方）で凝縮されたドレンが、中空部３の内部に落下して受皿４に至り受皿４に貯められることから、冷却管群２の下部（受皿４（中空部３）の下方）の冷却管２Ａに、冷却管群２の上部から落下するドレンが付着することを防ぐ。しかも、冷却管群２の上部を通過した不凝縮性気体は、中空部３の内部に至り中空部３に捕集され、受皿４により堰き止められ冷却管群２の下部に至ることがないため、冷却管群２の下部において流入する蒸気に対して不凝縮性気体が対向流（カウンターフロー）となることを防ぐ。この結果、横置型冷却管群の適用において伝熱性能を確保することができる。
【００４０】
また、本実施形態の復水器では、受皿４を貫通して中空部３内で上方に突出して設けられた導管４Ｂを備え、導管４Ｂは、突出端４Ｂａが下方に折り返されて下方に向けて開口して形成される。
【００４１】
この復水器によれば、冷却管群２の下部を通過した不凝縮性気体を、導管４Ｂを介して受皿４を通過させて中空部３の内部に捕集する。この際、冷却管群２の上部から中空部３の内部に落下するドレンが、導管４Ｂの開口から冷却管群２の下部に流出したり、導管４Ｂの開口に付着して開口を塞いだりする事態を防止することができる。
【００４２】
また、本実施形態の復水器では、受皿４を貫通して下方に延在し冷却管群２の外部に突出して設けられた配水管４Ａを備え、配水管４Ａは、突出端４Ａａが上方に折り返されて上方に向けて開口して形成される。
【００４３】
この復水器によれば、配水管４Ａにより、受皿４に貯まったドレンを容器１の底部に送ることができる。また、配水管４Ａの上方に折り返された部分にドレンが貯まることで、冷却管群２の下方から流入する蒸気が、配水管４Ａの開口より中空部３の内部に流入する事態を防止することができる。
【００４４】
また、本実施形態の復水器では、中空部３の内部から冷却管群２の外部に至り設けられた抽出管５と、抽出管５に設けられた真空ポンプ６と、を備える。
【００４５】
この復水器によれば、中空部３に捕集された不凝縮性気体を冷却管群２の外部に抽出することができる。
【００４６】
［実施形態２］
図５は、本実施形態に係る復水器の冷却管群の側断面図であり、図６は、本実施形態に係る復水器の冷却管群の縦断面図である。図５は、図１に示す冷却管群の詳細を示し、図６は、図２に示す冷却管群の詳細を示す。また、図５および図６において、ハッチング部分は、複数の冷却管２Ａを簡略化して示している。
【００４７】
上述したように、冷却管群２は、容器１の内部に配置されており複数の冷却管２Ａを平行に配置して全体が横長に形成されている。そして、図５および図６に示すように、冷却管群２は、その内部に冷却管２Ａを配置せず形成された横長の中空部３が設けられている。中空部３は、複数の冷却管２Ａの隙間よりも大きい空間を形成しており、複数の冷却管２Ａの隙間と連通して冷却管群２の外側に通じている。
【００４８】
また、冷却管群２は、中空部３の内部に、中空部３の横長形状に沿って配置された受皿４が設けられている。受皿４は、板状に形成されて、その外周縁に立設された立片を有している。また、受皿４は、当該受皿４を貫通して下方に延在し冷却管群２の外部に突出して設けられた配水管４Ａが設けられている。配水管４Ａは、その突出端４Ａａが上方（好ましくは鉛直上）に向けて開口するようにＪ形状に上方に折り返して形成されている。また、受皿４は、その底に凹部４Ｃが設けられている。凹部４Ｃは、受皿４の板の一部を上方に凸形状に折り曲げることにより形成される。この凹部４Ｃは、本実施形態では線状の溝として形成されている。また、受皿４は、凹部４Ｃが外周縁よりも高い位置になるように、板材が凹部４Ｃから外周縁に向かって漸次下方に向けて傾斜して形成されている。この場合、配水管４Ａは、傾斜の最も下となる部分（受皿４の外周縁）に設けられる。
【００４９】
また、冷却管群２は、中空部３の内部から冷却管群２の外部に至り抽出管５が設けられている。抽出管５は、容器１の外部に貫通して設けられている。また抽出管５は、真空ポンプ６が設けられている。なお、抽出管５は、中空部３の内部に連通する端部が凹部４Ｃに向けて配置されている。
【００５０】
このように構成された本実施形態の復水器は、横長に形成された冷却管群２において、容器１の内部に流入された蒸気が、冷却管群２の主に上方および下方から各冷却管２Ａの間に流入する。すると、蒸気は、各冷却管２Ａに供給された冷却水と熱交換して凝縮しドレンとなって各冷却管２Ａの間を通って落下する。
【００５１】
ここで、冷却管群２の上部（中空部３の上方）で凝縮されたドレンは、中空部３の内部に落下して受皿４に至り受皿４に貯められる。そして、受皿４に貯められたドレンは、配水管４Ａを通って容器１の底部に落下する。このため、冷却管群２の下部（受皿４（中空部３）の下方）では、その冷却管２Ａに、冷却管群２の上部から落下するドレンが付着することが防止される。なお、配水管４Ａは、その突出端４Ａａが上方に折り返されて上方に向けて開口するように形成されている。このため、配水管４Ａの上方に折り返された部分にドレンが貯まることで、冷却管群２の下方から流入する蒸気が、配水管４Ａの開口より中空部３の内部に流入する事態を防止する。なお、配水管４Ａを設けない場合、受皿４に貯まったドレンは、支持板２Ｃを伝わって容器１の底部に落下する。この場合、受皿４は、各支持板２Ｃの位置で分割され、支持板２Ｃに対向する外周縁の立片が一部切り欠かれて形成され、支持板２Ｃとの間にドレンを通過させる隙間を設けておくことが好ましい。
【００５２】
また、冷却管群２の上部では、不凝縮性気体が通過する。不凝縮性気体は、冷却管２Ａとの熱交換により凝縮されなかった蒸気（未凝縮蒸気）や、蒸気とともに容器１の内部に流入された空気（非凝縮性気体）を言う。このように冷却管群２の上部を通過した不凝縮性気体は、中空部３の内部に至り中空部３に捕集される。中空部３に捕集された不凝縮性気体は、受皿４により堰き止められ冷却管群２の下部に至ることがない。
【００５３】
一方、冷却管群２の下部で凝縮されたドレンは、冷却管群２の下部から容器１の底部に落下する。ここで、上述したように、中空部３に捕集された不凝縮性気体は、受皿４により堰き止められ冷却管群２の下部に至ることがない。このため、冷却管群２の下部において流入する蒸気に対して不凝縮性気体が対向流（カウンターフロー）となることが防止される。従って、冷却管群２の下部において、蒸気を凝縮する性能である伝熱性能が確保される。
【００５４】
また、冷却管群２の下部では、不凝縮性気体が通過する。冷却管群２の下部を通過した不凝縮性気体は、中空部３の内部に至り中空部３に捕集される。中空部３の内部には、受皿４が設けられているが、不凝縮性気体は、受皿４の底に形成された凹部４Ｃに捕集される。なお、受皿４は、凹部４Ｃが外周縁よりも高い位置になるように、板材が凹部４Ｃから外周縁に向かって漸次下方に向けて傾斜して形成されている。このため、冷却管群２の下部を通過した不凝縮性気体は、受皿４の板材の傾斜に沿って凹部４Ｃに案内される。
【００５５】
そして、中空部３に捕集された不凝縮性気体は、真空ポンプ６を作動させることで抽出管５を介して容器１の外部に排出される。なお、抽出管５を中空部３に直接連通させず、間に空気冷却器を配置することで、不凝縮性気体において冷却管２Ａとの熱交換により凝縮されなかった未凝縮蒸気を凝縮させてドレンとし、非凝縮性気体のみを排出することができる。
【００５６】
このように、本実施形態の復水器は、水平方向に蒸気が導入される容器１と、容器１の内部に配置されており複数の冷却管２Ａを平行に配置して全体が横長に形成されてなる冷却管群２と、冷却管群２の内部に冷却管２Ａを配置せず形成された横長の中空部３と、中空部３の内部で中空部３の横長形状に沿って配置された受皿４と、を備える。
【００５７】
この復水器によれば、冷却管群２の上部（中空部３の上方）で凝縮されたドレンが、中空部３の内部に落下して受皿４に至り受皿４に貯められることから、冷却管群２の下部（受皿４（中空部３）の下方）の冷却管２Ａに、冷却管群２の上部から落下するドレンが付着することを防ぐ。しかも、冷却管群２の上部を通過した不凝縮性気体は、中空部３の内部および受皿４の底の凹部４Ｃに至り中空部３に捕集され、受皿４により堰き止められ冷却管群２の下部に至ることがないため、冷却管群２の下部において流入する蒸気に対して不凝縮性気体が対向流（カウンターフロー）となることを防ぐ。この結果、横置型冷却管群の適用において伝熱性能を確保することができる。
【００５８】
また、本実施形態の復水器では、受皿４の底に凹部４Ｃを設けている。
【００５９】
この復水器によれば、冷却管群２の下部を通過した不凝縮性気体を、凹部４Ｃに捕集する。すなわち、受皿４により中空部３を上下に分離することで、冷却管群２の上部から中空部３の内部に落下するドレンが、冷却管群２の下部に至ること、および冷却管群２の下部において流入する蒸気に対して不凝縮性気体が対向流（カウンターフロー）となることを防ぎつつ、中空部３の内部に不凝縮性気体を捕集することができる。
【００６０】
また、本実施形態の復水器では、受皿４を貫通して下方に延在し冷却管群２の外部に突出して設けられた配水管４Ａを備え、配水管４Ａは、突出端４Ａａが上方に折り返されて上方に向けて開口して形成される。
【００６１】
この復水器によれば、配水管４Ａにより、受皿４に貯まったドレンを容器１の底部に送ることができる。また、配水管４Ａの上方に折り返された部分にドレンが貯まることで、冷却管群２の下方から流入する蒸気が、配水管４Ａの開口より中空部３の内部に流入する事態を防止することができる。
【００６２】
また、本実施形態の復水器では、中空部３の内部から冷却管群２の外部に至り設けられた抽出管５と、抽出管５に設けられた真空ポンプ６と、を備える。
【００６３】
この復水器によれば、中空部３に捕集された不凝縮性気体を冷却管群２の外部に抽出することができる。
【符号の説明】
【００６４】
１  容器
１Ａ  胴部
１Ａａ  接続口
１Ａｂ  流入口
２  冷却管群
２Ａ  冷却管
２Ｂ  水室
２Ｃ  支持板
３  中空部
４  受皿
４Ａ  配水管
４Ａａ  突出端
４Ｂ  導管
４Ｂａ  突出端
４Ｃ  凹部
５  抽出管
６  真空ポンプ
【図１】
2015075242.tif 000003
【図２】
2015075242.tif 000004
【図３】
2015075242.tif 000005
【図４】
2015075242.tif 000006
【図５】
2015075242.tif 000007
【図６】
2015075242.tif 000008